(57)【要約】【課題】近距離無線通信ZigBeeを使用したネットワークにおいて、構築するPAN(Personal Area Network)で使用する各種パラメタ情報（チャネル、PAN ID、暗号化鍵など）の設定・運用の仕組みを構築する。【解決手段】ZigBeeネットワークを構成するZigBee通信端末を、各PAN固有の通信パラメタ情報のオリジナルを生成、及び保持するマスタデバイス、マスタデバイス以外のスレーブデバイスとし、マスタデバイスの保持する通信パラメタ情報をスレーブデバイスへコピーすることにより、ネットワーク全体の通信パラメタを設定する機能を有するZigBee通信装置を導入する。【選択図】図１
0003140716.tif 000002
【実用新案登録請求の範囲】
【請求項１】
ZigBeeネットワークを構成するZigBee通信端末を、各PAN固有の通信パラメタ情報のオリジナルを生成、及び保持するマスタデバイス、マスタデバイス以外のスレーブデバイスと分類し、マスタデバイスの保持する通信パラメタ情報をスレーブデバイスへコピーすることにより、ネットワーク全体の通信パラメタを設定する機能を有するZigBee通信装置。
【請求項２】
請求項１に記載のZigBee通信装置において、マスタデバイスとスレーブデバイスを通信線（シリアルケーブルなど）を接続し、コピー、設定を行うことを特徴とするZigBee通信装置。
【請求項３】
請求項１に記載のZigBee通信装置において、マスタデバイスとスレーブデバイスを同一PANのZigBeeネットワーク上に配置し、ZigBee無線通信を利用してコピー、設定を行うことを特徴とするZigBee通信装置。
【請求項４】
請求項１乃至３のいずれか１項に記載のZigBee通信装置において、マスタデバイスとスレーブデバイスにボタンを設け、両デバイスのボタンを押下する、或は押下し続けることによって、コピー、設定処理が開始することを特徴とするZigBee通信装置。
【請求項５】
請求項１乃至３のいずれか１項に記載のZigBee通信装置において、マスタデバイスとスレーブデバイスにコネクタを設け、ドングルをデバイスへ挿入することによって、コピー、設定処理が開始することを特徴とするZigBee通信装置。
【請求項６】
請求項１乃至３、請求項５のいずれか１項に記載のZigBee通信装置において、通信パラメタ情報オリジナルを内部ストレージに格納したドングルをデバイスへ挿入することによって、マスタデバイス内の通信パラメタ情報オリジナルの書き換え処理を開始することを特徴とするZigBee通信装置。
【請求項７】
請求項１乃至５のいずれか１項に記載のZigBee通信装置において、通信パラメタ情報オリジナルを内部ストレージに格納したドングルをデバイスへ挿入し、ボタンを押下する、或は押し続けることによって、マスタデバイス内の通信パラメタ情報オリジナルの書き換え処理を開始することを特徴とするZigBee通信装置。
【請求項８】
請求項１又は請求項２に記載のZigBee通信装置において、マスタデバイスと、ストレージに通信パラメタを格納した設定用装置とを通信線（シリアルケーブルなど）で接続し、設定用装置からマスタデバイスへ通信パラメタをコピー、設定することによって、マスタデバイス内の通信パラメタ情報オリジナルを書き換えることを特徴とするZigBee通信装置。
【請求項９】
請求項１又は請求項３に記載のZigBee通信装置において、マスタデバイスと、ストレージに通信パラメタを格納した設定用装置とを同一PANのZigBeeネットワーク上に配置し、ZigBee無線通信を利用して設定用装置の持つ通信パラメタによってマスタデバイス内の通信パラメタ情報オリジナルを書き換えることを特徴とするZigBee通信装置。
【請求項１０】
請求項１乃至９のいずれか１項に記載のZigBee通信装置において、インターネットなどの広域通信ネットワークを利用することによって、遠隔操作で通信パラメタ情報のダウンロードを行うことを特徴とするZigBee通信装置。
【請求項１１】
請求項８又は９記載のZigBee通信装置において、デバイス上のボタンを押下する、或は押下し続けることによって、設定用装置と連動して、マスタデバイス内の通信パラメタ情報オリジナルの書き換え処理を開始することを特徴とするZigBee通信装置。
【請求項１２】
請求項１乃至４のいずれか１項に記載のZigBee通信装置において、マスタデバイスに表示パネル、入力キー、ボタン、LED、ディップスイッチ、ロータリスイッチなどを設け、スタンドアロンでマスタデバイス内の通信パラメタ情報オリジナルの設定・書き換えを行うことを特徴とするZigBee通信装置。
【請求項１３】
請求項１乃至４、請求項１２のいずれか１項に記載のZigBee通信装置において、デバイス上のボタンを押下する、或は押下し続けることによって、マスタデバイス内の通信パラメタ情報オリジナルの設定・書き換え処理を開始されることを特徴とするZigBee通信装置。
【請求項１４】
請求項１乃至１３のいずれか１項に記載のZigBee通信装置において、表示パネル上に現在のステータス（設定中、設定完了、通常動作中、エラー情報など）の表示や、通信パラメタ情報オリジナル設定補助表示（“チャンネルを入力してください”、“PAN IDを入力してください”など）を行うことを特徴とするZigBee通信装置。
【請求項１５】
請求項１乃至１３のいずれか１項に記載のZigBee通信装置において、LED点灯位置によって現在のステータス（設定中、設定完了、通常動作中、エラー情報など）や、通信パラメタ情報オリジナル設定補助（“チャンネルを入力してください”、“PAN IDを入力してください”など）を行うことを特徴とするZigBee通信装置。
【請求項１６】
請求項１乃至１３のいずれか１項に記載のZigBee通信装置において、LED点灯方式の違い（点灯、点滅など）によって現在のステータス（設定中、設定完了、通常動作中、エラー情報など）や、通信パラメタ情報オリジナル設定補助（“チャンネルを入力してください”、“PAN IDを入力してください”など）を行うことを特徴とするZigBee通信装置。
【請求項１７】
ZigBee通信装置を全てスレーブデバイスとし、通信パラメタ情報オリジナルを内部ストレージに格納したドングルをマスタデバイスとし、ドングルをスレーブデバイスへ挿入することによってドングルからスレーブデバイスへ通信パラメタのコピー、設定の開始を行うことを特徴とするZigBee通信装置。
【請求項１８】
ZigBee通信装置を全てスレーブデバイスとし、通信パラメタ情報オリジナルを内部ストレージに格納したドングルをマスタデバイスとし、ドングルをスレーブデバイスへ挿入し、スレーブデバイス上のボタンを押下する、或は押下し続けることによってドングルからスレーブデバイスへ通信パラメタのコピー、設定を開始することを特徴とするZigBee通信装置。
【請求項１９】
ZigBee通信装置に超音波受信機を設け、超音波発信機からの超音波を、ある一定時間受信することにより、コピー、設定処理が開始することを特徴とするZigBee通信装置。
【請求項２０】
ZigBee通信装置にRFIDリーダーを設け、RFIDタグをZigBee通信装置のRFIDリーダーに近づけることにより、コピー、設定処理が開始することを特徴とするZigBee通信装置。
【請求項２１】
マスタデバイスにRFIDリーダーを設け、通信パラメタがストレージに格納されたRFIDタグをマスタデバイスのRFIDリーダーに近づけることにより、マスタデバイス内の通信パラメタ情報オリジナルの設定・書き換えを行うことを特徴とするZigBee通信装置。
【考案の詳細な説明】
【技術分野】
【０００１】
本考案は、近距離無線通信であるZigBeeネットワークを構築する際に、構築するネットワークの各通信パラメタ情報を設定する機能を有するZigBee通信装置に関するものである。
【背景技術】
【０００２】
ZigBeeとは、低速で転送距離が短い代わりに、安価で消費電力が少ないという特徴を持つ家電向けの短距離無線通信規格の一つである。
【０００３】
ZigBee Allianceが規定しているZigBee仕様には、現在構築されているPAN情報を取得するチャネルスキャン機能は定義されているが、チャネルスキャン機能を利用して見つけたPANの選択に関しては開発者に委ねられている。
【０００４】
ZigBeeネットワークシステムの満たすべき機能によっては、各装置は自らが参加すべきPANを予め知っておく必要がある。
【考案の開示】
【考案が解決しようとする課題】
【０００５】
ZigBeeネットワークで構築したシステムによっては、意図しないネットワークへ誤って参加する、もしくは意図しないネットワーク内の端末と通信を行うということがセキュリティ上、好ましくない場合もあるが、装置が参加するPANの選択に関してはZigBee仕様には明記されておらず、開発者に委ねられている。
【０００６】
また、通信パラメタはプログラム（ＲＯＭ）内に埋め込まれている場合が多く、ユーザ（管理者）が自由にZigBeeネットワークシステム内に存在する端末追加や、端末の通信パラメタをカスタマイズすることができない。
【０００７】
上記要因により、ZigBeeネットワークシステム構築・運用を困難にしている。本考案は上記のような課題を解決するためのものであり、開発者・ユーザ・管理者が、容易にZigBeeネットワークシステムを構築・運用することを目的としている。
【課題を解決するための手段】
【０００８】
本考案は、ZigBeeネットワークを構成するZigBee通信端末を、各PAN固有の通信パラメタ情報のオリジナルを生成、及び保持するマスタデバイスと、マスタデバイス以外のスレーブデバイスと分類し、マスタデバイスの保持する通信パラメタ情報をスレーブデバイスへコピーすることによりスレーブデバイスへ通信パラメタ情報を設定する機能を有することを特徴とする。
【０００９】
好適にはZigBee通信装置が通信ケーブルを接続するコネクタを所有しており、マスタデバイスとスレーブデバイスを通信ケーブルで接続し、マスタデバイスからスレーブデバイスへの通信パラメタのコピー、設定を行うことを特徴する。
【００１０】
また好適には、マスタデバイスとスレーブデバイスを同一PAN（設定用PAN）のZigBeeネットワーク上に配置し、ZigBee無線通信を利用してコピー、設定を行うことを特徴とする。
【００１１】
また好適には、マスタデバイスとスレーブデバイスにボタンを設け、両デバイスのボタンを押下する、或は押下し続けることによって、コピー、設定処理が開始することを特徴とする。
【００１２】
また好適には、マスタデバイスとスレーブデバイスにコネクタを設け、ドングルをデバイスへ挿入することによって、コピー、設定処理が開始することを特徴とする。
【００１３】
また好適には、マスタデバイスにコネクタを設け、通信パラメタ情報オリジナルを内部ストレージに格納したドングルをデバイスへ挿入することによって、マスタデバイス内の通信パラメタ情報オリジナルの書き換え処理を開始することを特徴とする。
【００１４】
また好適には、マスタデバイスにコネクタを設け、通信パラメタ情報オリジナルを内部ストレージに格納したドングルをデバイスへ挿入し、マスタデバイスのボタンを押下する、或は押し続けることによって、マスタデバイス内の通信パラメタ情報オリジナルの書き換え処理を開始することを特徴とする。
【００１５】
また好適には、マスタデバイスと、ストレージに通信パラメタを格納した設定用装置とを通信線（シリアルケーブルなど）で接続することによって、マスタデバイス内の通信パラメタ情報オリジナルを書き換えることを特徴とする。
【００１６】
また好適には、マスタデバイスと、ストレージに通信パラメタを格納した設定用ZigBee通信装置とを同一PANのZigBeeネットワーク上に配置し、ZigBee無線通信を利用してマスタデバイス内の通信パラメタ情報オリジナルを書き換えることを特徴とする。
【００１７】
また、上記のマスタデバイス上のボタンを押下する、或は押下し続けることによって、設定用装置と連動して、マスタデバイス内の通信パラメタ情報オリジナルの書き換え処理を開始することを特徴とする。
【００１８】
また好適には、マスタデバイスからインターネットなどの広域通信ネットワークを利用することによって、遠隔操作で通信パラメタ情報のダウンロードを行うことを特徴とする。
【００１９】
また好適には、マスタデバイスに表示パネル、入力キー、ボタン、LED、ディップスイッチ、ロータリスイッチなどを設け、スタンドアロンでマスタデバイス内の通信パラメタ情報オリジナルを設定・書き換えを行うことを特徴とする。
【００２０】
また好適には、上記の表示パネル、入力キー、ボタン、LED、ディップスイッチ、ロータリスイッチなどを持つマスタデバイスのボタンを押下する、或は押下し続けることによって、マスタデバイス内の通信パラメタ情報オリジナルの設定・書き換え処理を開始することを特徴とする。
【００２１】
また、上記の表示パネルを持つマスタデバイスの表示パネル上に現在のステータス（設定中、設定完了、通常動作中など）の表示や、通信パラメタ情報オリジナル設定補助表示（“チャンネルを入力してください”、“PAN IDを入力してください”など）を行うことを特徴とする
【００２２】
また、上記のLEDを持つマスタデバイスのLED点灯位置によって現在のステータス（設定中、設定完了、通常動作中、エラー情報など）や、通信パラメタ情報オリジナル設定補助（“チャンネルを入力してください”、“PAN IDを入力してください”など）を行うことを特徴とする。
【００２３】
また、上記のLEDを持つマスタデバイスのLED点灯方式の違い（点灯、点滅など）によって現在のステータス（設定中、設定完了、通常動作中など）や、通信パラメタ情報オリジナル設定補助（“チャンネルを入力してください”、“PAN IDを入力してください”など）を行うことを特徴とする。
【００２４】
また好適には、ZigBee通信装置を全てスレーブデバイスとし、通信パラメタ情報オリジナルを内部ストレージに格納したドングルをマスタデバイスとし、ドングルをスレーブデバイスへ挿入することによってドングルからスレーブデバイスへ通信パラメタのコピー、設定を開始することを特徴とする。
【００２５】
また好適には、ZigBee通信装置を全てスレーブデバイスとし、通信パラメタ情報オリジナルを内部ストレージに格納したドングルをマスタデバイスとし、ドングルをスレーブデバイスへ挿入し、スレーブデバイス上のボタンを押下する、或は押下し続けることによってドングルからスレーブデバイスへ通信パラメタのコピー、設定を開始することを特徴とする。
【００２６】
また好適には、ZigBee通信装置に超音波受信機を設け、超音波発信機からの超音波を、ある一定時間受信することにより、コピー、設定処理を開始することを特徴とする。
【００２７】
また好適には、ZigBee通信装置にRFIDリーダーを設け、RFIDタグをZigBee通信装置のRFIDリーダーに近づけることにより、コピー、設定処理を開始することを特徴とする。
【００２８】
また好適には、マスタデバイスにRFIDリーダーを設け、通信パラメタがストレージに格納されたRFIDタグをマスタデバイスのRFIDリーダーに近づけることにより、マスタデバイス内の通信パラメタ情報オリジナルの設定・書き換えを行うことを特徴とする。
【考案の効果】
【００２９】
本考案に関わる通信パラメタの設定機能を有するZigBee通信装置を用いれば、通信パラメタの変更が可能なため、ネットワーク初期起動時にはマスタデバイスからスレーブデバイスへと通信パラメタの設定を行い、ネットワークを構築できる。また、スレーブデバイス追加時には、再度、追加するスレーブデバイスとマスタデバイスの間で通信パラメタを設定し、ネットワークを再構築できる。ネットワーク運用時に通信不具合がある場合は、マスタデバイスの通信パラメタ情報オリジナルを変更し、メンテナンスが可能である。これら特徴から、容易にネットワーク構築、管理可能になる。
【考案を実施するための最良の形態】
【００３０】
以下、本考案に関わる実施例を図に基づいて説明する。
【００３１】
実施例１として、図１に本考案のZigBee通信装置を導入したZigBeeネットワークシステムの構成図を記す。各ZigBee通信装置にはボタン11が設けられており、ZigBee通信装置内ストレージには暗号鍵12が格納されている。また、ZigBeeネットワーク上では、マスタデバイスがZigBee Coordinator、のスレーブデバイス１、スレーブデバイス２、スレーブデバイス３がZigBee Router、スレーブデバイス４がEndDeviceとなっている。
【００３２】
マスタデバイスのボタン11を押下することにより、マスタデバイスは設定用PANを構築する。設定用PANの通信パラメタはシステムで一意に固定とする。さらに、スレーブデバイス１、スレーブデバイス２、スレーブデバイス３、スレーブデバイス４のボタン11を押下することにより、マスタデバイスが構築した設定用PANに参加し、図２に記すようなネットワークが構築される。直線13は各装置間の親子関係を表している。
【００３３】
設定用PANに参加したスレーブデバイス１、スレーブデバイス２、スレーブデバイス３、スレーブデバイス４は、内部ストレージに格納されている暗号鍵を使用して送信データを暗号化し、マスタデバイスへ通信パラメタを問い合わせる。マスタデバイスは、同様に内部ストレージに格納されている暗号鍵を使用して、受信データを複合化し、正しいデータであれば問い合わせ元スレーブデバイスへ通信パラメタを送信する。マスタデバイスは一定時間待機し、受信を行わない場合、タイムアウトして通常運用用PANを構築する。
【００３４】
マスタデバイスより通信パラメタを受信したスレーブデバイスは、通信パラメタを内部
ストレージに設定し、受信した通信パラメタを使用してPANに参加する。
【００３５】
新規ZigBee通信装置を図１のネットワークに追加する場合も、上記手段と同様にマスタデバイスのボタン11を押下し、追加するZigBee通信装置のボタン11を押下し、通信パラメタのコピー、設定を行う。
【００３６】
実施例２として、図２に構成図を記す。USBストレージ24には暗号化された通信パラメタが格納されている。USBストレージ24をUSBコネクタ22に接続し、ボタン21を押下することによって、マスタデバイスは内部ストレージに格納されている暗号鍵を使用して、USBストレージ24内に格納された通信パラメタを複合化し、内部ストレージに格納されている通信パラメタ情報オリジナルを更新する。マスタデバイスが更新した通信パラメタ情報オリジナルを、スレーブデバイスへ配布する手段は実施例１を使用する。
【００３７】
実施例３として、図３に構成図を記す。マスタデバイスのボタン34を押下することにより、表示パネル31に「パスワードを入力してください」と表示される。ユーザが上下ボタン33、ボタン34を使用し、パスワードを入力すると、マスタデバイスは通信パラメタ情報オリジナル更新処理を開始する。表示パネル31に設定すべき項目が表示され、ユーザは上下ボタン33、ボタン34を使用し、各項目を設定する。設定すべき全項目を設定し終えると、マスタデバイスは通信パラメタ情報オリジナルを更新する。マスタデバイスが更新した通信パラメタ情報オリジナルを、スレーブデバイスへ配布する手段は実施例１を使用する。
【００３８】
なお、本考案は、図面を参照して説明した上述の実施例に限定されるものではなく、添付の請求の範囲及びその趣旨を逸脱することなく、様々な変更、置換、またはその同等のものを行うことが可能である。
【図面の簡単な説明】
【００３９】
【図１】本考案のZigBee通信装置を導入したネットワーク構成図である。
【図２】USBストレージを利用したマスタデバイスの通信パラメタ情報オリジナル更新  手段構成図である。
【図３】入力用ヒューマン・インタフェース（表示パネル、上下キー、ボタン）を実装  したマスタデバイスの通信パラメタ情報オリジナル更新手段構成図である。
【図１】
0003140716.tif 000003
【図２】
0003140716.tif 000004
【図３】
0003140716.tif 000005
【手続補正書】
【提出日】平成20年2月1日(2008.2.1)
【手続補正１】
【補正対象書類名】実用新案登録請求の範囲
【補正対象項目名】全文
【補正方法】変更
【補正の内容】
【実用新案登録請求の範囲】
【請求項１】
ZigBee（登録商標）ネットワークを構成するZigBee（登録商標）通信端末を、各PAN固有の通信パラメタ情報のオリジナルを生成、及び保持するマスタデバイス、マスタデバイス以外のスレーブデバイスと分類し、マスタデバイスの保持する通信パラメタ情報をスレーブデバイスへコピーすることにより、ネットワーク全体の通信パラメタを設定する機能を有するZigBee（登録商標）通信装置。
【請求項２】
請求項１に記載のZigBee（登録商標）通信装置において、マスタデバイスとスレーブデバイスを通信線（シリアルケーブルなど）を接続し、コピー、設定を行うことを特徴とするZigBee（登録商標）通信装置。
【請求項３】
請求項１に記載のZigBee（登録商標）通信装置において、マスタデバイスとスレーブデバイスを同一PANのZigBee（登録商標）ネットワーク上に配置し、ZigBee（登録商標）無線通信を利用してコピー、設定を行うことを特徴とするZigBee（登録商標）通信装置。
【請求項４】
請求項１乃至３のいずれか１項に記載のZigBee（登録商標）通信装置において、マスタデバイスとスレーブデバイスにボタンを設け、両デバイスのボタンを押下する、或は押下し続けることによって、コピー、設定処理が開始することを特徴とするZigBee（登録商標）通信装置。
【請求項５】
請求項１乃至３のいずれか１項に記載のZigBee（登録商標）通信装置において、マスタデバイスとスレーブデバイスにコネクタを設け、ドングルをデバイスへ挿入することによって、コピー、設定処理が開始することを特徴とするZigBee（登録商標）通信装置。
【請求項６】
請求項１乃至３、請求項５のいずれか１項に記載のZigBee（登録商標）通信装置において、通信パラメタ情報オリジナルを内部ストレージに格納したドングルをデバイスへ挿入することによって、マスタデバイス内の通信パラメタ情報オリジナルの書き換え処理を開始することを特徴とするZigBee（登録商標）通信装置。
【請求項７】
請求項１乃至５のいずれか１項に記載のZigBee（登録商標）通信装置において、通信パラメタ情報オリジナルを内部ストレージに格納したドングルをデバイスへ挿入し、ボタンを押下する、
或は押し続けることによって、マスタデバイス内の通信パラメタ情報オリジナルの書き換
え処理を開始することを特徴とするZigBee（登録商標）通信装置。
【請求項８】
請求項１又は請求項２に記載のZigBee（登録商標）通信装置において、マスタデバイスと、ストレージに通信パラメタを格納した設定用装置とを通信線（シリアルケーブルなど）で接続し、
設定用装置からマスタデバイスへ通信パラメタをコピー、設定することによって、マスタデバイス内の通信パラメタ情報オリジナルを書き換えることを特徴とするZigBee（登録商標）通信装置。
【請求項９】
請求項１又は請求項３に記載のZigBee（登録商標）通信装置において、マスタデバイスと、ストレージに通信パラメタを格納した設定用装置とを同一PANのZigBee（登録商標）ネットワーク上に配置し、ZigBee（登録商標）無線通信を利用して設定用装置の持つ通信パラメタによってマスタデバイス内の通信パラメタ情報オリジナルを書き換えることを特徴とするZigBee（登録商標）通信装置。
【請求項１０】
請求項１乃至９のいずれか１項に記載のZigBee（登録商標）通信装置において、インターネットなどの広域通信ネットワークを利用することによって、遠隔操作で通信パラメタ情報のダウンロードを行うことを特徴とするZigBee（登録商標）通信装置。
【請求項１１】
請求項８又は９記載のZigBee（登録商標）通信装置において、デバイス上のボタンを押下する、或は押下し続けることによって、設定用装置と連動して、マスタデバイス内の通信パラメタ情報オリジナルの書き換え処理を開始することを特徴とするZigBee（登録商標）通信装置。
【請求項１２】
請求項１乃至４のいずれか１項に記載のZigBee（登録商標）通信装置において、マスタデバイスに表示パネル、入力キー、ボタン、LED、ディップスイッチ、ロータリスイッチなどを設け、
スタンドアロンでマスタデバイス内の通信パラメタ情報オリジナルの設定・書き換えを行うことを特徴とするZigBee（登録商標）通信装置。
【請求項１３】
請求項１乃至４、請求項１２のいずれか１項に記載のZigBee（登録商標）通信装置において、デバイス上のボタンを押下する、或は押下し続けることによって、マスタデバイス内の通信パラメタ情報オリジナルの設定・書き換え処理を開始されることを特徴とするZigBee（登録商標）通信装置。
【請求項１４】
請求項１乃至１３のいずれか１項に記載のZigBee（登録商標）通信装置において、表示パネル上に現在のステータス（設定中、設定完了、通常動作中、エラー情報など）の表示や、通信パラメタ情報オリジナル設定補助表示（“チャンネルを入力してください”、“PAN IDを入力してください”など）を行うことを特徴とするZigBee（登録商標）通信装置。
【請求項１５】
請求項１乃至１３のいずれか１項に記載のZigBee（登録商標）通信装置において、LED点灯位置によって現在のステータス（設定中、設定完了、通常動作中、エラー情報など）や、通信パラメタ情報オリジナル設定補助（“チャンネルを入力してください”、“PAN IDを入力してください”など）を行うことを特徴とするZigBee（登録商標）通信装置。
【請求項１６】
請求項１乃至１３のいずれか１項に記載のZigBee（登録商標）通信装置において、LED点灯方式の違い（点灯、点滅など）によって現在のステータス（設定中、設定完了、通常動作中、エラー情報など）や、通信パラメタ情報オリジナル設定補助（“チャンネルを入力してください”、“PAN IDを入力してください”など）を行うことを特徴とするZigBee（登録商標）通信装置。
【請求項１７】
ZigBee（登録商標）通信装置を全てスレーブデバイスとし、通信パラメタ情報オリジナルを内部ストレージに格納したドングルをマスタデバイスとし、ドングルをスレーブデバイスへ挿入することによってドングルからスレーブデバイスへ通信パラメタのコピー、設定の開始を行うことを特徴とするZigBee（登録商標）通信装置。
【請求項１８】
ZigBee（登録商標）通信装置を全てスレーブデバイスとし、通信パラメタ情報オリジナルを内部ストレージに格納したドングルをマスタデバイスとし、ドングルをスレーブデバイスへ挿入し、スレーブデバイス上のボタンを押下する、或は押下し続けることによってドングルからスレーブデバイスへ通信パラメタのコピー、設定を開始することを特徴とするZigBee（登録商標）通信装置。
【手続補正２】
【補正対象書類名】明細書
【補正対象項目名】全文
【補正方法】変更
【補正の内容】
【考案の詳細な説明】
【技術分野】
【０００１】
本考案は、近距離無線通信であるZigBee（登録商標）ネットワークを構築する際に、構築するネットワークの各通信パラメタ情報を設定する機能を有するZigBee（登録商標）通信装置に関するものである。
【背景技術】
【０００２】
ZigBee（登録商標）とは、低速で転送距離が短い代わりに、安価で消費電力が少ないという特徴を持つ家電向けの短距離無線通信規格の一つである。
【０００３】
ZigBee（登録商標） Allianceが規定しているZigBee（登録商標）仕様には、現在構築されているPAN情報を取得するチャネルスキャン機能は定義されているが、チャネルスキャン機能を利用して見つけたPANの選択に関しては開発者に委ねられている。
【０００４】
ZigBee（登録商標）ネットワークシステムの満たすべき機能によっては、各装置は自らが参加すべきPANを予め知っておく必要がある。
【考案の開示】
【考案が解決しようとする課題】
【０００５】
ZigBee（登録商標）ネットワークで構築したシステムによっては、意図しないネットワークへ誤って参加する、もしくは意図しないネットワーク内の端末と通信を行うということがセキュリティ上、好ましくない場合もあるが、装置が参加するPANの選択に関してはZigBee（登録商標）仕様には明記されておらず、開発者に委ねられている。
【０００６】
また、通信パラメタはプログラム（ＲＯＭ）内に埋め込まれている場合が多く、ユーザ（管理者）が自由にZigBee（登録商標）ネットワークシステム内に存在する端末追加や、端末の通信パラメタをカスタマイズすることができない。
【０００７】
上記要因により、ZigBee（登録商標）ネットワークシステム構築・運用を困難にしている。本考案は上記のような課題を解決するためのものであり、開発者・ユーザ・管理者が、容易にZigBee（登録商標）ネットワークシステムを構築・運用することを目的としている。
【課題を解決するための手段】
【０００８】
本考案は、ZigBee（登録商標）ネットワークを構成するZigBee（登録商標）通信端末を、各PAN固有の通信パラメタ情報のオリジナルを生成、及び保持するマスタデバイスと、マスタデバイス以外のスレーブデバイスと分類し、マスタデバイスの保持する通信パラメタ情報をスレーブデバイスへコピーすることによりスレーブデバイスへ通信パラメタ情報を設定する機能を有することを特徴とする。
【０００９】
好適にはZigBee（登録商標）通信装置が通信ケーブルを接続するコネクタを所有しており、マスタデバイスとスレーブデバイスを通信ケーブルで接続し、マスタデバイスからスレーブデバイスへの通信パラメタのコピー、設定を行うことを特徴する。
【００１０】
また好適には、マスタデバイスとスレーブデバイスを同一PAN（設定用PAN）のZigBee（登録商標）ネットワーク上に配置し、ZigBee（登録商標）無線通信を利用してコピー、設定を行うことを特徴とする。
【００１１】
また好適には、マスタデバイスとスレーブデバイスにボタンを設け、両デバイスのボタンを押下する、或は押下し続けることによって、コピー、設定処理が開始することを特徴とする。
【００１２】
また好適には、マスタデバイスとスレーブデバイスにコネクタを設け、ドングルをデバイスへ挿入することによって、コピー、設定処理が開始することを特徴とする。
【００１３】
また好適には、マスタデバイスにコネクタを設け、通信パラメタ情報オリジナルを内部ストレージに格納したドングルをデバイスへ挿入することによって、マスタデバイス内の通信パラメタ情報オリジナルの書き換え処理を開始することを特徴とする。
【００１４】
また好適には、マスタデバイスにコネクタを設け、通信パラメタ情報オリジナルを内部ストレージに格納したドングルをデバイスへ挿入し、マスタデバイスのボタンを押下する、或は押し続けることによって、マスタデバイス内の通信パラメタ情報オリジナルの書き換え処理を開始することを特徴とする。
【００１５】
また好適には、マスタデバイスと、ストレージに通信パラメタを格納した設定用装置とを通信線（シリアルケーブルなど）で接続することによって、マスタデバイス内の通信パラメタ情報オリジナルを書き換えることを特徴とする。
【００１６】
また好適には、マスタデバイスと、ストレージに通信パラメタを格納した設定用ZigBee（登録商標）通信装置とを同一PANのZigBee（登録商標）ネットワーク上に配置し、ZigBee（登録商標）無線通信を利用してマスタデバイス内の通信パラメタ情報オリジナルを書き換えることを特徴とする。
【００１７】
また、上記のマスタデバイス上のボタンを押下する、或は押下し続けることによって、設定用装置と連動して、マスタデバイス内の通信パラメタ情報オリジナルの書き換え処理を開始することを特徴とする。
【００１８】
また好適には、マスタデバイスからインターネットなどの広域通信ネットワークを利用することによって、遠隔操作で通信パラメタ情報のダウンロードを行うことを特徴とする。
【００１９】
また好適には、マスタデバイスに表示パネル、入力キー、ボタン、LED、ディップスイッチ、ロータリスイッチなどを設け、スタンドアロンでマスタデバイス内の通信パラメタ情報オリジナルを設定・書き換えを行うことを特徴とする。
【００２０】
また好適には、上記の表示パネル、入力キー、ボタン、LED、ディップスイッチ、ロータリスイッチなどを持つマスタデバイスのボタンを押下する、或は押下し続けることによって、マスタデバイス内の通信パラメタ情報オリジナルの設定・書き換え処理を開始することを特徴とする。
【００２１】
また、上記の表示パネルを持つマスタデバイスの表示パネル上に現在のステータス（設定中、設定完了、通常動作中など）の表示や、通信パラメタ情報オリジナル設定補助表示（“チャンネルを入力してください”、“PAN IDを入力してください”など）を行うことを特徴とする
【００２２】
また、上記のLEDを持つマスタデバイスのLED点灯位置によって現在のステータス（設定中、設定完了、通常動作中、エラー情報など）や、通信パラメタ情報オリジナル設定補助（“チャンネルを入力してください”、“PAN IDを入力してください”など）を行うことを特徴とする。
【００２３】
また、上記のLEDを持つマスタデバイスのLED点灯方式の違い（点灯、点滅など）によって現在のステータス（設定中、設定完了、通常動作中など）や、通信パラメタ情報オリジナル設定補助（“チャンネルを入力してください”、“PAN IDを入力してください”など）を行うことを特徴とする。
【００２４】
また好適には、ZigBee（登録商標）通信装置を全てスレーブデバイスとし、通信パラメタ情報オリジナルを内部ストレージに格納したドングルをマスタデバイスとし、ドングルをスレーブデバイスへ挿入することによってドングルからスレーブデバイスへ通信パラメタのコピー、設定を開始することを特徴とする。
【００２５】
また好適には、ZigBee（登録商標）通信装置を全てスレーブデバイスとし、通信パラメタ情報オリジナルを内部ストレージに格納したドングルをマスタデバイスとし、ドングルをスレーブデバイスへ挿入し、スレーブデバイス上のボタンを押下する、或は押下し続けることによってドングルからスレーブデバイスへ通信パラメタのコピー、設定を開始することを特徴とする。
【００２６】
また好適には、ZigBee（登録商標）通信装置に超音波受信機を設け、超音波発信機からの超音波を、ある一定時間受信することにより、コピー、設定処理を開始することを特徴とする。
【００２７】
また好適には、ZigBee（登録商標）通信装置にRFIDリーダーを設け、RFIDタグをZigBee（登録商標）通信装置のRFIDリーダーに近づけることにより、コピー、設定処理を開始することを特徴とする。
【００２８】
また好適には、マスタデバイスにRFIDリーダーを設け、通信パラメタがストレージに格納されたRFIDタグをマスタデバイスのRFIDリーダーに近づけることにより、マスタデバイス内の通信パラメタ情報オリジナルの設定・書き換えを行うことを特徴とする。
【考案の効果】
【００２９】
本考案に関わる通信パラメタの設定機能を有するZigBee（登録商標）通信装置を用いれば、通信パラメタの変更が可能なため、ネットワーク初期起動時にはマスタデバイスからスレーブデバイスへと通信パラメタの設定を行い、ネットワークを構築できる。また、スレーブデバイス追加時には、再度、追加するスレーブデバイスとマスタデバイスの間で通信パラメタを設定し、ネットワークを再構築できる。ネットワーク運用時に通信不具合がある場合は、マスタデバイスの通信パラメタ情報オリジナルを変更し、メンテナンスが可能である。これら特徴から、容易にネットワーク構築、管理可能になる。
【考案を実施するための最良の形態】
【００３０】
以下、本考案に関わる実施例を図に基づいて説明する。
【００３１】
実施例１として、図１に本考案のZigBee（登録商標）通信装置を導入したZigBee（登録商標）ネットワークシステムの構成図を記す。各ZigBee（登録商標）通信装置にはボタン11が設けられており、ZigBee（登録商標）通信装置内ストレージには暗号鍵12が格納されている。また、ZigBee（登録商標）ネットワーク上では、マスタデバイスがZigBee（登録商標） Coordinator、のスレーブデバイス１、スレーブデバイス２、スレーブデバイス３がZigBee（登録商標） Router、スレーブデバイス４がEndDeviceとなっている。
【００３２】
マスタデバイスのボタン11を押下することにより、マスタデバイスは設定用PANを構築する。設定用PANの通信パラメタはシステムで一意に固定とする。さらに、スレーブデバイス１、スレーブデバイス２、スレーブデバイス３、スレーブデバイス４のボタン11を押下することにより、マスタデバイスが構築した設定用PANに参加し、図２に記すようなネットワークが構築される。直線13は各装置間の親子関係を表している。
【００３３】
設定用PANに参加したスレーブデバイス１、スレーブデバイス２、スレーブデバイス３、スレーブデバイス４は、内部ストレージに格納されている暗号鍵を使用して送信データを暗号化し、マスタデバイスへ通信パラメタを問い合わせる。マスタデバイスは、同様に内部ストレージに格納されている暗号鍵を使用して、受信データを複合化し、正しいデータであれば問い合わせ元スレーブデバイスへ通信パラメタを送信する。マスタデバイスは一定時間待機し、受信を行わない場合、タイムアウトして通常運用用PANを構築する。
【００３４】
マスタデバイスより通信パラメタを受信したスレーブデバイスは、通信パラメタを内部ストレージに設定し、受信した通信パラメタを使用してPANに参加する。
【００３５】
新規ZigBee（登録商標）通信装置を図１のネットワークに追加する場合も、上記手段と同様にマスタデバイスのボタン11を押下し、追加するZigBee（登録商標）通信装置のボタン11を押下し、通信パラメタのコピー、設定を行う。
【００３６】
実施例２として、図２に構成図を記す。USBストレージ24には暗号化された通信パラメタが格納されている。USBストレージ24をUSBコネクタ22に接続し、ボタン21を押下することによって、マスタデバイスは内部ストレージに格納されている暗号鍵を使用して、USBストレージ24内に格納された通信パラメタを複合化し、内部ストレージに格納されている通信パラメタ情報オリジナルを更新する。マスタデバイスが更新した通信パラメタ情報オリジナルを、スレーブデバイスへ配布する手段は実施例１を使用する。
【００３７】
実施例３として、図３に構成図を記す。マスタデバイスのボタン34を押下することにより、表示パネル31に「パスワードを入力してください」と表示される。ユーザが上下ボタン33、ボタン34を使用し、パスワードを入力すると、マスタデバイスは通信パラメタ情報オリジナル更新処理を開始する。表示パネル31に設定すべき項目が表示され、ユーザは上下ボタン33、ボタン34を使用し、各項目を設定する。設定すべき全項目を設定し終えると、マスタデバイスは通信パラメタ情報オリジナルを更新する。マスタデバイスが更新した通信パラメタ情報オリジナルを、スレーブデバイスへ配布する手段は実施例１を使用する。
【００３８】
なお、本考案は、図面を参照して説明した上述の実施例に限定されるものではなく、添付の請求の範囲及びその趣旨を逸脱することなく、様々な変更、置換、またはその同等のものを行うことが可能である。
【図面の簡単な説明】
【００３９】
【図１】本考案のZigBee（登録商標）通信装置を導入したネットワーク構成図である。
【図２】USBストレージを利用したマスタデバイスの通信パラメタ情報オリジナル更新手段構成図である。
【図３】入力用ヒューマン・インタフェース（表示パネル、上下キー、ボタン）を実装したマスタデバイスの通信パラメタ情報オリジナル更新手段構成図である。